(57)【要約】【課題】本発明の課題は、通信負荷を低減しつつユーザ毎に利用可能な度数に応じて処理を実行して利用可能な全度数を有効に利用できるようにする画像処理装置、ユーザ毎に画像処理装置を提供することを目的とする。【解決手段】上記課題は、ユーザ毎に利用可能な度数に応じてジョブを実行する画像処理装置であって、ネットワークを介して接続されユーザ毎に画像処理装置を利用するための度数とその総度数とを管理する度数管理サーバの該総度数の保持状況に基づいて、該度数管理サーバに対する度数の借入タイミング及びジョブ終了後の残度数の返却タイミングを決定する借入・返却タイミング決定手段を有する画像処理装置によって達成される。【選択図】図６
2008033839.tif 000002
【特許請求の範囲】
【請求項１】
ユーザ毎に利用可能な度数に応じてジョブを実行する画像処理装置であって、
ネットワークを介して接続されユーザ毎に画像処理装置を利用するための度数とその総度数とを管理する度数管理サーバの該総度数の保持状況に基づいて、該度数管理サーバに対する度数の借入タイミング及びジョブ終了後の残度数の返却タイミングを決定する借入・返却タイミング決定手段を有することを特徴とする画像処理装置。
【請求項２】
前記借入タイミングで、前記度数管理サーバへジョブのための度数の借入を要求する度数借入要求を送信する度数借入要求手段と、
前記返却タイミングで、前記度数管理サーバへ前記残度数の返却を通知する残度数返却通知を送信する残度数返却通知手段とを有することを特徴とする請求項１記載の画像処理装置。
【請求項３】
ジョブ開始時にジョブで使用される度数を判別でき、かつ、前記保持状況が前記度数管理サーバの該総度数が多いことを示す場合、前記度数借入要求手段によって該度数管理サーバから借り入れた度数をユーザのログアウトするまで画像処理装置内の記憶領域に保持し、該ユーザのログアウト後に該借り入れた度数から使用された度数を減算した残度数を前記残度数返却通知手段によって該度数管理サーバへ返却することを特徴とする請求項２記載の画像処理装置。
【請求項４】
前記ジョブの開始前に前記記憶領域に保持している前記借り入れた度数が十分であるか否かを判定する度数判定手段を有し、
前記度数判定手段によって前記借り入れた度数が不足していると判定した場合、前記度数借入要求手段によって前記度数管理サーバへ前記度数借入要求を送信することを特徴とする請求項３記載の画像処理装置。
【請求項５】
ジョブ開始時にジョブで使用される度数を判別でき、かつ、前記保持状況が前記度数管理サーバの該総度数が少ないことを示す場合、ジョブ終了毎に、前記度数借入要求手段によって借り入れた度数から使用された度数を減算した残度数を前記残度数返却通知手段によって前記度数管理サーバへ返却することを特徴とする請求項２記載の画像処理装置。
【請求項６】
前記ジョブの途中で前記度数借入要求手段によって借り入れた度数が不足した場合、その時点で該度数借入要求手段によって前記度数管理サーバへ前記度数借入要求を送信することを特徴とする請求項５記載の画像処理装置。
【請求項７】
ジョブ開始時にジョブで使用される度数を判別できず、かつ、前記保持状況が前記度数管理サーバの該総度数が多いことを示す場合、一部印刷終了時に該ジョブで使用される度数を算出して、その算出した度数に対して前記借り入れた残度数が十分であるか否かを判定する度数判定手段を有し、
前記度数判定手段によって前記借り入れた残度数が十分であると判定した場合、前記度数借入要求手段によって該度数管理サーバから借り入れた度数をユーザのログアウトするまで画像処理装置内の記憶領域に保持し、該ユーザのログアウト後に該借り入れた度数から使用された度数を減算した残度数を前記残度数返却通知手段によって該度数管理サーバへ返却することを特徴とする請求項２記載の画像処理装置。
【請求項８】
ジョブ開始時にジョブで使用される度数を判別できず、かつ、前記保持状況が前記度数管理サーバの該総度数が少ないことを示す場合、一部印刷終了時に該ジョブで使用される度数を算出して、その算出した度数に対して前記借り入れた残度数が十分であるか否かを判定する度数判定手段を有し、
前記度数判定手段によって前記借り入れた残度数が不足していると判定した場合、前記度数借入要求手段によって前記度数管理サーバへ前記度数借入要求を送信することを特徴とする請求項２記載の画像処理装置。
【請求項９】
ジョブ開始時にジョブで使用される度数を判別できず、かつ、前記ジョブが優先ジョブの場合、一部印刷終了時に該ジョブで使用される度数を算出して、その算出した度数に対して前記借り入れた残度数が十分であるか否かを判定する度数判定手段を有し、
前記度数判定手段によって前記借り入れた残度数が不足していると判定した時点で、前記度数借入要求手段によって前記度数管理サーバへ前記度数借入要求を送信することを特徴とする請求項２記載の画像処理装置。
【請求項１０】
ジョブ開始時にジョブで使用される度数を判別できず、かつ、前記ジョブが通常ジョブの場合、一部印刷終了時に該ジョブで使用される度数を算出して、その算出した度数に対して前記借り入れた残度数が十分であるか否かを判定する度数判定手段を有し、
前記度数判定手段によって前記借り入れた残度数が不足していると判定した場合であってもジョブを続行し、実際に該借り入れた残度数が少なくなった時点で、前記度数借入要求手段によって前記度数管理サーバへ前記度数借入要求を送信することを特徴とする請求項２記載の画像処理装置。
【請求項１１】
前記度数借入要求手段による度数借入要求の送信によって、度数管理サーバから前記総度数の保持状況を取得することを特徴とする請求項２乃至１０のいずれか一項記載の画像処理装置。
【請求項１２】
前記借入タイミングで、前記度数管理サーバへジョブのための度数の借入を要求する度数借入要求を送信する度数借入要求手段と、
前記度数判定手段が前記借り入れた残度数が不足していると判定し、かつ、前記度数管理サーバの前記保持状況が総度数が少ないことを示す場合、操作パネルに度数制限を越えてジョブを継続することを許容するか否かを示す設定に基づいてメッセージを表示することを特徴とする請求項３乃至１１のいずれか一項記載の画像処理装置。
【請求項１３】
前記度数借入要求手段による前記度数管理サーバへの前記度数借入要求の送信によって該度数管理サーバが判断した前記総度数の保持状況を受信することを特徴とする請求項３乃至１２のいずれか一項記載の画像処理装置。
【請求項１４】
前記残度数返却通知手段は、前記度数借入要求手段による度数借入要求に対して通知された貸し出し識別情報と前記残度数とを含む前記残度数返却通知を送信することを特徴とする請求項２乃至１３のいずれか一項記載の画像処理装置。
【請求項１５】
ジョブ中に画像形成した用紙を１枚使用する毎に前記借り入れた残度数を減算することを特徴とする請求項１乃至１４のいずれか一項記載の画像処理装置。
【請求項１６】
ネットワークを介して複数の画像処理装置と接続され、ユーザ毎に画像処理装置を利用するための度数とその総度数とを管理する度数管理サーバであって、
画像処理装置からジョブのための度数の借入を要求する度数借入要求に応じて、該度数借入要求に含まれるユーザ識別情報に対応する度数からの貸出度数を前記総度数から減算して該画像処理装置に通知する貸出度数通知手段と、
前記貸出度数を通知した画像処理装置から残度数を返却する残度数返却通知を受信すると、前記総度数に該残度数返却通知に含まれる該残度数を加算する残度数加算手段とを有することを特徴とする度数管理サーバ。
【請求項１７】
前記貸出度数通知手段は、前記総度数の残量を判定した結果を前記貸出度数と共に前記画像処理装置に通知することを特徴とする請求項１６記載の度数管理サーバ。
【請求項１８】
前記貸出度数通知は、貸出度数と貸し出し識別情報とを含むことを特徴とする請求項１６又は１７記載の度数管理サーバ。
【請求項１９】
ユーザ毎に利用可能な度数に応じてジョブを実行する画像処理装置での度数管理方法であって、
ネットワークを介して接続されユーザ毎に画像処理装置を利用するための度数とその総度数とを管理する度数管理サーバの該総度数の保持状況に基づいて、該度数管理サーバに対する度数の借入タイミング及びジョブ終了後の残度数の返却タイミングを決定する借入・返却タイミング決定手順を有することを特徴とする度数管理方法。
【請求項２０】
前記借入タイミングで、前記度数管理サーバへジョブのための度数の借入を要求する度数借入要求を送信する度数借入要求手順と、
前記返却タイミングで、前記度数管理サーバへ前記残度数の返却を通知する残度数返却通知を送信する残度数返却通知手順とを有し、
ジョブ開始時にジョブで使用される度数を判別でき、かつ、前記保持状況が前記度数管理サーバの該総度数が多いことを示す場合、前記度数借入要求手順によって該度数管理サーバから借り入れた度数をユーザのログアウトするまで画像処理装置内の記憶領域に保持し、該ユーザのログアウト後に該借り入れた度数から使用された度数を減算した残度数を前記残度数返却通知手順によって該度数管理サーバへ返却することを特徴とする請求項１９記載の度数管理方法。
【請求項２１】
ジョブ開始時にジョブで使用される度数を判別でき、かつ、前記保持状況が前記度数管理サーバの該総度数が少ないことを示す場合、ジョブ終了毎に、前記度数借入要求手段によって借り入れた度数から使用された度数を減算した残度数を前記残度数返却通知手段によって前記度数管理サーバへ返却することを特徴とする請求項２０記載の度数管理方法。
【発明の詳細な説明】
【技術分野】
【０００１】
本発明は、通信負荷を低減しつつユーザ毎に利用可能な度数に応じて処理を実行して利用可能な全度数を有効に利用できるようにする画像処理装置、ユーザ毎に画像処理装置を利用するための度数を管理する度数管理サーバ、及び度数管理方法を提供するものである。
【背景技術】
【０００２】
従来より、例えば、企業内において、ユーザ毎の印刷制限枚数を予め登録しておき、印刷実施済み枚数が印刷制限枚数を超過している場合、印刷を実施しない制限がなされている（例えば、特許文献１）。
【０００３】
また、コンビニエンスストアなどでは、投入した金額、或いはプリペードカードに記録されている金額の範囲の枚数でコピー可能とするコピー機などがある。
【特許文献１】特開２００２−１０８５８７号公報
【発明の開示】
【発明が解決しようとする課題】
【０００４】
しかしながら、従来の技術では、ユーザ毎に利用可能な枚数を制限する方法であるため、あるユーザの利用可能な枚数が余っている或いは全く利用されていないにも関わらず、他ユーザは利用可能な枚数が不足して処理が行えないなどの問題があった。また、画像処理装置が管理する全枚数で制限しつつ有効に利用するために、利用可能な枚数が不足しているユーザに対してそのユーザの枚数の制限を越えて利用を許容すると、画像処理装置で管理する総枚数が不足し、利用可能な枚数が十分のはずのユーザが処理を行うことができないなどの問題があった。
【０００５】
また、ネットワークを介して接続される複数の画像処理装置全体で利用可能な総枚数を度数で管理するサーバから画像処理装置が必要な最小限の度数を借り入れて処理を行う場合、予測以上に度数が必要となる場合には、頻繁にサーバから度数を借り入れるための通信が行われサーバと複数の画像処理装置との間の通信負荷が発生していた。
【０００６】
そこで、本発明の課題は、通信負荷を低減しつつユーザ毎に利用可能な度数に応じて処理を実行して利用可能な全度数を有効に利用できるようにする画像処理装置、ユーザ毎に画像処理装置を利用するための度数を管理する度数管理サーバ、及び度数管理方法を提供することである。
【課題を解決するための手段】
【０００７】
上記課題を解決するため、本発明は、請求項１に記載されるように、ユーザ毎に利用可能な度数に応じてジョブを実行する画像処理装置であって、ネットワークを介して接続されユーザ毎に画像処理装置を利用するための度数とその総度数とを管理する度数管理サーバの該総度数の保持状況に基づいて、該度数管理サーバに対する度数の借入タイミング及びジョブ終了後の残度数の返却タイミングを決定する借入・返却タイミング決定手段を有するように構成される。
【０００８】
このような画像処理装置では、度数管理サーバの総度数の保持状況に基づいて度数管理サーバからの度数の借入及び返却の処理を制御することができる。そのため、度数管理サーバにおいて管理される総度数を最大限に保つようにすることができるため、他画像処理装置からの度数の借り入れに応じることができる。また、度数管理サーバとの通信負荷を低減させることができる。
【発明の効果】
【０００９】
本発明では、度数管理サーバの残度数が十分な場合には、画像処理装置は、最初に十分多い度数を度数管理サーバから借り入れ、その借り入れた度数をユーザがログアウトするまで画像処理装置内で管理する。従って、ユーザのログイン後のジョブ毎に度数管理サーバへ度数の借り入れ及び返却に係る通信処理を減らすことができる。
【００１０】
また、度数管理サーバの残度数が少ない場合には、画像処理装置は、ジョブの終了毎に余った借入残度数を度数管理サーバへ返却する。従って、画像処理装置にて余分な借入残度数を保持する時間を短縮させることができ、度数管理サーバは少ない残度数で他の画像処理装置からの度数借入要求に対応することができる。
【発明を実施するための最良の形態】
【００１１】
以下、本発明の実施の形態を図面に基づいて説明する。
【００１２】
図１は、本発明の一実施例に係るシステム構成を示す図である。図１に示すシステム１００は、画像処理装置１１と、画像処理装置１２と、画像処理装置１３と、度数管理サーバ２０と、ユーザ情報サーバ３０とを有し、それら装置は、ネットワーク２を介して互いに通信可能である。
【００１３】
度数管理サーバ２０は、複数の画像処理装置全体で処理される枚数を複数のユーザ毎に管理する。すなわち、システム１００では、画像処理装置１１と、画像処理装置１２と、画像処理装置１３の全体で画像形成される枚数を複数のユーザ毎に管理する。
【００１４】
ユーザ情報サーバ３０は、ユーザに関する情報であるユーザＩＤとパスワードなどを管理するサーバであり、それらを用いて各画像処理装置１１と、画像処理装置１２と、画像処理装置１３とを利用するユーザの認証などを行う。
【００１５】
画像処理装置１１と、画像処理装置１２と、画像処理装置１３とは、コピー、プリンタ、ファックスなどの複数の画像形成機能を備えた装置であって、度数管理サーバ２０から取得した印刷可能な枚数を示す度数に基づいて処理を行う。本実施例では、画像処理装置を例にしているが、画像処理装置に限らず、通常のプリンタであってもよい。
【００１６】
度数は、例えば、コピー、プリンタ、ファックスの機能の実行による画像形成のために利用可能な枚数を示す。
【００１７】
各画像処理装置１１から１３は、例えば、図２に示すようなハードウェア構成、及び、図３に示すような機能構成を備えている。
【００１８】
図２は、本発明の一実施例に係る画像処理装置のハードウェア構成を示す図である。図２において、画像処理装置１１は、コントローラ６０と、オペレーションパネル８０と、ＦＡＸ８１と、プロッタ８２と、スキャナ８３とを有する。
【００１９】
コントローラ６０は、ＣＰＵ（Central Processing Unit）６１と、システムメモリ６２と、ＮＢ（North Bridge）６３と、ＳＢ（South Bridge）６４と、ＡＳＩＣ（Application Specific Integrated Circuit）６６と、ローカルメモリ６７と、ＨＤＤ（Hard Disk Device）６８と、外部インタフェース７０とを有する。
【００２０】
オペレーションパネル８０は、コントローラ６０のＡＳＩＣ６６に接続されている。また、ＦＡＸ８１と、プロッタ８２と、スキャナ８３とはコントローラ６０のＡＳＩＣ６６にＰＣＩ（Peripheral Component Interconnect）バス８９を介して接続されている。
【００２１】
コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。なお、ＡＳＩＣ６６とＮＢ６３とはＡＧＰ（Accelerated Graphics Port）６５を介して接続されている。
【００２２】
ＣＰＵ６１は、画像処理装置１１の全体制御を行うものである。ＮＢ６３は、ＣＰＵ６１、システムメモリ６２、ＳＢ６４、ＡＳＩＣ６６、及び外部インタフェース７０を接続するためのブリッジである。ＮＢ６３は、ＰＣＩバス７３を介して外部インタフェース７０と接続されている。なお、ＳＢ（サウスブリッジ）６４は、ＰＣＩバス７３とＲＯＭや周辺デバイス等とを接続するためのブリッジである。
【００２３】
システムメモリ６２は、描画用メモリ等として用いるメモリである。ローカルメモリ６７は、コピー用画像バッファ，符号バッファ等として用いるメモリである。ＡＳＩＣ６６は、画像処理用のハードウェア要素を有する画像処理用途向けのＩＣである。また、ＨＤＤ６８は画像データの蓄積、文書データの蓄積、プログラムの蓄積、フォントデータの蓄積、フォームの蓄積などを行うストレージ（補助記憶装置）の一例である。
【００２４】
外部インタフェース７０は、画像処理装置１１をインターネットやＬＡＮ等のネットワークに接続するインタフェース機器である。また、オペレーションパネル８０は、ユーザからの入力操作を受け付けると共に、ユーザのための情報を表示する操作部である。
【００２５】
画像処理装置１２及び１３についても同様のハードウェア構成を備える。
【００２６】
図３は、本発明の一実施例に係る画像処理装置の機能構成を示す図である。図３において、画像処理装置１１は、ネットワーク２を介して他装置との通信を制御するネットワーク通信制御部１０１と、度数管理サーバ２０が保持する残度数に応じた処理を行う残度数検査部１０２と、ユーザが利用可能な残度数を一時的に記憶しておく一時残度数保持部１０３と、プロッタ８２を制御して所定媒体上に画像を形成したり、オペレーションパネル８０へ印刷に関する情報を表示及びユーザの入力を受信する印刷制御部１０４とを有する。
【００２７】
残度数検査部１０２では、度数管理サーバ２０が現在保持している残度数の程度に基づいて度数管理サーバ２０から次に度数を借り入れるタイミングと、度数管理サーバ２０へ消費後の残度数を返却するタイミングとを決定する。
【００２８】
一時残度数保持部１０３には、ユーザの認証によってユーザ情報サーバ３０から通知されたユーザＩＤに対応する利用可能な残度数を度数管理サーバ２０から受信すると、所定の記憶領域（後述される一時残度数記憶領域）に格納する。
【００２９】
度数管理サーバ２０及び画像処理装置１１から１３内で管理される度数は、オペレーションパネル８０に表示される場合には、「枚数」などで示され、ユーザが要求する処理に応じた用語が用いられる。
【００３０】
画像処理装置１２及び１３についても同様の機能構成を備える。
【００３１】
図４は、度数管理サーバのハードウェア構成を示す図である。図４において、度数管理サーバ２０は、コンピュータ装置であって、入力装置２２２と，表示装置２２３と，ドライブ装置２２４と，記録媒体２２５と，補助記憶装置２２６と，メモリ装置２２７と，演算処理装置２２０と，インタフェース装置２２１とを有し、それぞれバスＢで相互に接続されている。
【００３２】
入力装置２２２は、キーボード及びマウスなどで構成され、各種操作信号を入力するために用いられる。表示装置２２３は、ユーザが度数管理サーバ２０を操作するのに必要な各種ウィンドウやデータ等を表示する。インタフェース装置２２１は、度数管理サーバ２０をネットワークに接続する為のインタフェースや他の機器を接続するためのインタフェースであり、例えばＮＩＣ（Network Interface Card）やモデム、ＵＳＢ（Universal Serial Bus）等で構成される。
【００３３】
そして、度数管理サーバ２０を動作させるためのプログラムは、ＣＤ−ＲＯＭ等の記録媒体２２５によって提供されるか、ネットワークを通じてダウンロードされる。また、記録媒体２２５は、ドライブ装置２２４にセットされ、データやプログラムが記録媒体２２５からドライブ装置２２４を介して補助記憶装置２２６にインストールされる。
【００３４】
補助記憶装置２２６は、データやプログラムを格納されると共に、必要なファイル等を格納する。メモリ装置２２７は、度数管理サーバ２０の起動時に補助記憶装置２２６からプログラムを読み出して格納する。演算処理装置２２０は、メモリ装置２２７に読み出され格納されたプログラムに従って処理を実行する。
【００３５】
図５は、度数の借り入れ及び返却の概略を説明するための図である。図５において、画像処理装置１１は、ユーザＩＤを用いて、処理を実行する前に度数管理サーバ２０から所定度数の借り入れをし、処理に応じた度数の消費後の余った度数を度数管理サーバ２０へ返却する。
【００３６】
度数管理サーバ２０は、ユーザＩＤ毎に利用可能な度数を残度数として管理するユーザ別残度数テーブル２０ａを有し、ユーザ別残度数テーブル２０ａを参照することによって画像処理装置１１から要求された残度数を画像処理装置１１へ送信する。
【００３７】
そして、画像処理装置１１は、ユーザＩＤに対応する度数を受信すると、一時残度数保持部２０３の一時残度数記憶領域１１ａに格納することによって度数を借り入れる。
【００３８】
ユーザがオペレーションパネル８０を用いて処理要求を画像処理装置１１へ行うと、画像処理装置１１は、ユーザの処理要求に応じて処理を実行し、実行した処理に応じた度数を消費した後の余った度数（残度数）を度数管理サーバ２０へ送信することによって返却する。
【００３９】
度数管理サーバ２０は、画像処理装置１１から受信した残度数をユーザ別残度数テーブル２０ａのユーザＩＤに対応する残度数として格納し、ユーザ別残度数テーブル２０ａの残度数を更新する。
【００４０】
上述したような度数情報の授受は、画像処理装置１２及び１３についても同様に行われる。
【００４１】
以下、説明の便宜のため、ユーザが画像処理装置１１を利用した場合について説明するが、ユーザが画像処理装置１２又は１３を利用した場合であっても同様である。
【００４２】
本発明では、度数管理サーバ２０のユーザＩＤに対応する残度数が所定度数以下であるか否かによって度数の借り入れのタイミング及び残度数の返却のタイミングが決定される。
【００４３】
この度数管理サーバ２０の残度数が所定度数以下であるか否かの判断は、本実施例では、度数管理サーバ２０で行い、残度数が所定度数以下と判断した場合には度数管理サーバ２０での残度数が少ないことを示す「サーバ残少」が画像処理装置１１へ通知され、残度数が所定度数より多いと判断した場合には度数管理サーバ２０での残度数が十分あることを示す「サーバ残多」が画像処理装置１１へ通知される。画像処理装置１１は、この判断結果を用いて度数の借り入れのタイミング及び残度数の返却のタイミングを決定する。
【００４４】
度数管理サーバ２０は、予め管理対象となる各画像処理装置１１から１３の能力（処理速度、カラー又はモノクロなどの情報）を収集し、例えば、各画像処理装置１１から１３のＩＰアドレスに対応させて記憶領域に格納しておく。例えば、画像処理装置１１から度数を借り入れるための度数借入要求を受信した場合、画像処理装置１１の能力に応じた所定度数との比較によってユーザＩＤに対応する残度数の多い又は少ないかを判断する。
【００４５】
また、画像処理装置１１から１３で判断する場合、各画像処理装置１１から１３は、予め度数管理サーバ２０の管理能力を示す情報（残度数の最大値、管理対象となる画像処理装置の台数などの情報）を度数管理サーバ２０から取得しておく。各画像処理装置１１から１３は、度数借入要求を行う際に、その時点でのユーザＩＤに対応する残度数を度数管理サーバ２０から取得し、度数管理サーバ２０の管理能力に応じた所定度数との比較によって残度数の多い又は少ないかを判断する。
【００４６】
ユーザがネットワーク２に接続されるユーザ端末から画像処理装置１１を指定して文書を印刷又はユーザが画像処理装置１１を操作して画像処理装置１１に蓄積されている文書を指定して印刷する場合は、画像処理装置１１は、ジョブ開始時に印刷処理（ジョブ）の実行によって消費される度数を文書のページ数などから知ることができる。
【００４７】
このような場合において、先ず、度数管理サーバ２０の残度数が十分多くある場合の処理シーケンスについて図６で説明する。
【００４８】
度数管理サーバ２０のクライアントとしての画像処理装置１１は、最初のジョブの開始前に度数管理サーバ２０への最初の度数の借り入れ時に大量に度数を借り入れて、借り入れた度数が足りなくなった場合にのみ再度借り入れる処理を行う。
【００４９】
従って、画像処理装置１１は、ジョブ毎に、ジョブの開始前に度数を借り入れるための処理とジョブの終了後に余った度数を返却するための処理とを行なわない。画像処理装置１１は、ジョブ開始前に借り入れた度数の不足を判定する度数不足判定処理を行い、全てのジョブの終了後に余った度数の返却はログアウト後に行う。
【００５０】
図６は、ジョブ開始時に度数が分かり、かつ、度数管理サーバの残度数が十分多い場合の処理シーケンスを示す図である。図６に示す処理シーケンスでは、ユーザが画像処理装置１１を操作して画像処理装置１１に蓄積されている文書を指定して印刷する場合で説明する。
【００５１】
図６において、画像処理装置１１はログイン画面をオペレーションパネル８０へ表示し、ユーザがユーザＩＤ及びパスワードを入力すると（ステップＳ１１１）、画像処理装置１１は、ユーザ認証情報をユーザ情報サーバ３０へ送信する（ステップＳ１１２）。
【００５２】
ユーザ情報サーバ３０は、ユーザＩＤとパスワードとで認証処理を実行する。認証が成功した場合、認証が成功したことを示す応答「ＯＫ」を画像処理装置１１へ送信する（ステップＳ１１３）。一方、認証が失敗した場合、認証が失敗したことを示す応答を画像処理装置１１へと送信する。
【００５３】
画像処理装置１１は、認証が失敗した場合、オペレーションパネル８０に認証失敗を表示してユーザへ通知し、ユーザからの処理要求を受け付けない。認証が成功した場合に、ユーザは、画像処理装置１１のオペレーションパネル８０から所望処理を選択し、必要に応じてその処理を行うための種々の設定をした後、処理の開始を指示する（ジョブ操作開始）（ステップＳ１１４）。
【００５４】
画像処理装置１１は、印刷する文書のページ数などから印刷処理で消費される度数を決定して度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ１１５）。
【００５５】
度数管理サーバ２０は、１００、０００度数（総度数）を保持しているとする。度数管理サーバ２０は、度数借入要求を画像処理装置１１から受信すると、度数管理サーバ２０が現在保持している１００、０００度数（総度数）と、所定度数と比較することによって「サーバ残多」又は「サーバ残少」であるかを判定する度数残量判定処理を行う（ステップＳ１１６）。この場合、「サーバ残多」であると判定される。
【００５６】
また、度数管理サーバ２０は、度数借入要求によって指定されるユーザＩＤに対応する度数をユーザ別残度数テーブル２０ａから取得して、度数借入要求によって指定される希望度数と度数残量判定処理による結果とに基づいて画像処理装置１１へ貸し出す度数（以下、貸出度数という）を決定する。貸出度数は、希望度数と同じ値でも良いが、希望度数以上となる値とすることが望ましい。例えば、度数残量判定処理の結果に応じて貸出度数を決定すればよい。
【００５７】
更に、度数管理サーバ２０は、ユーザ別残度数テーブル２０ａから取得したユーザＩＤに対応する度数から貸出度数を減算した値でユーザ別残度数テーブル２０ａを更新する。同様に、度数管理サーバ２０の度数（総度数）も貸出度数を減算した値とする。そして、度数管理サーバ２０は、貸し出しＩＤを生成して、ステップＳ１１５の度数借入要求に対して、貸出度数と、「サーバ残多」と、貸し出しＩＤとを含む応答「ＯＫ」を画像処理装置１１へ送信する（ステップＳ１１７）。
【００５８】
画像処理装置１１は、応答「ＯＫ」を受信すると、貸し出しＩＤと借入残度数として貸出度数とを一時残度数記憶領域１１ａに記憶する。この場合、画像処理装置１１は、貸出度数が１，０００度数を示す場合、借入残度数として１，０００度数を記憶する（ステップＳ１１８）。
【００５９】
また、画像処理装置１１は、ステップＳ１１７の応答「ＯＫ」が「サーバ残多」を示すので、ジョブが終了しても借り入れたままとし、ログアウト後に度数管理サーバ２０へ借入残度数を返却する「サーバ残多」用処理となるように、借入・返却タイミングとして「サーバ残多」を示す情報を所定記憶領域に記憶する（ステップＳ１１９）。
【００６０】
例えば、度数記憶領域１１ａに記憶した貸し出しＩＤに対応させて度数記憶領域１１ａ内に借入・返却タイミングとして「サーバ残多」を示す情報を記憶してもよい。「サーバ残多」を示す情報は画像処理装置１１において適宜参照されることによって、以下に説明するような処理が行われる。
【００６１】
借入・返却タイミングが「サーバ残多」を示す情報である場合、画像処理装置１１は、借入残度数が不足した場合にのみ、再度、度数管理サーバ２０から度数を借り入れる処理を行うことになる。
【００６２】
そして、画像処理装置１１は、ジョブを開始する前に度数不足判定処理を実行して、借入残度数が十分であることを確認する（ステップＳ１２０）。例えば、画像処理装置１１は、度数不足判定処理によって、借入残度数がゼロでない、又は、借入残度数が所定値以上であることを確認する。
【００６３】
画像処理装置１１は、ジョブを開始し、そのジョブの実行中は１枚出力する毎に借入残度数から１度数を減算する（ステップＳ１２１）。そしてジョブの終了後、画像処理装置１１は、借入残度数を度数管理サーバ２０へ返却することなく次のジョブ操作開始を待つ。
【００６４】
続くジョブ操作開始時には、画像処理装置１１は、度数管理サーバ２０に対して度数借入要求を行なわず、ジョブを開始する前に残度数が十分にあることを確認してジョブを実行する。
【００６５】
このように、画像処理装置１１は、ジョブ終了後であっても一旦借り入れた度数を保持し続けるため、度数管理サーバ２０へ借入度数を返却する処理及び度数管理サーバ２０とのネットワーク通信を省略することができる。また、次のジョブの開始前に度数管理サーバ２０から度数を借り入れする処理及び度数管理サーバ２０とのネットワーク通信を省略することができる。
【００６６】
一方、度数管理サーバ２０は、他の画像処理装置１２及び１３から残度数借入要求を受信した場合においても上記同様の処理を行う。
【００６７】
その後、画像処理装置１１にてユーザがジョブ操作を開始する（ステップＳ１２２）。画像処理装置１１は、ジョブを開始する前に度数不足判定処理を実行することによって、残度数を確認し、借入残度数が不足していると判断すると（ステップＳ１２３）、残度数借入要求を行う。画像処理装置１１は、残度数がゼロである、又は、残度数が所定値未満である場合に借入残度数が不足していると判断する。
【００６８】
画像処理装置１１は、ユーザＩＤと希望度数とを含む残度数借入要求を度数管理サーバ２０へ送信して（ステップＳ１２４）、貸出度数と、「サーバ残多」と、貸し出しＩＤとを含む応答「ＯＫ」を度数管理サーバ２０から受信する（ステップＳ１２５）。
【００６９】
画像処理装置１１は、一時残度数記憶領域１１ａに記憶している借入残度数に貸出度数を加算し、貸し出しＩＤと貸出度数を加算した借入残度数とによって一時残度数記憶領域１１ａを更新する（ステップＳ１２６）。例えば、貸出度数を加算した借入残度数が１，０２０度数となる場合、借入残度数が１，０２０度数に更新される。
【００７０】
そして、画像処理装置１１は、ジョブを開始し、そのジョブの実行中は１枚出力する毎に借入残度数から１度数を減算する（ステップＳ１２７）。そしてジョブの終了後、画像処理装置１１は、借入残度数を度数管理サーバ２０へ返却することなく次のジョブ操作開始を待つ。
【００７１】
続くジョブ操作開始時には、画像処理装置１１は、度数管理サーバ２０に対して度数借入要求を行なわず、ジョブを開始する前に残度数が十分にあることを確認してジョブを実行する。
【００７２】
一方、ユーザがログアウトすると（ステップＳ１２８）、画像処理装置１１は、借入残度数を度数管理サーバ２０へ返却するために、貸し出しＩＤと残度数として借入残度数とを含む残度数返却通知を度数管理サーバ２０へ送信する（ステップＳ１２９）。
【００７３】
度数管理サーバ２０は、残度数返却通知を画像処理装置１１から受信すると、残度数返却通知の貸し出しＩＤに対応するユーザＩＤを特定し、ユーザ別残度数テーブル２０ａ内に記憶されているユーザＩＤに対応する度数に残度数返却通知の残度数を加算してユーザ別残度数テーブル２０ａを更新する。更に、度数管理サーバ２０の度数（総度数）にその残度数を加算する。
【００７４】
そして、度数管理サーバ２０は、残度数の返却が終了したことを示す応答「ＯＫ」を画像処理装置１１へ送信する（ステップＳ１３０）。
【００７５】
画像処理装置１１は、残度数返却通知に対する応答「ＯＫ」を受信すると、一時残度数記憶領域１１ａに記憶しておいたこのユーザの貸し出しＩＤと借入残度数とを削除する。
【００７６】
次に、ジョブ開始時にジョブの実行によって消費される度数が分かり、かつ、度数管理サーバ２０の残度数が少ない場合の処理シーケンスについて図７で説明する。
【００７７】
度数管理サーバ２０のクライアントとしての画像処理装置１１は、ジョブの開始毎に度数管理サーバ２０から借り入れ可能な度数を借入残度数として取得し、ジョブの終了毎に余った度数を返却する。また、画像処理装置１１は、ジョブの実行中に消費した度数を借入残度数から減算すると共に度数不足判定処理を行い、借入残度数が不足している場合にはジョブの実行中に度数管理サーバ２０から度数の借り入れを行う。
【００７８】
図７は、ジョブ開始時に度数が分かり、かつ、度数管理サーバの残度数が少ない場合の処理シーケンスを示す図である。図７に示す処理シーケンスでは、ユーザが画像処理装置１１を操作して画像処理装置１１に蓄積されている文書を指定して印刷する場合で説明する。また、図７中、図６と同様のステップには、同一ステップ番号を付与し、その説明を省略する。
【００７９】
図７においてユーザ認証が成功すると、ユーザは、画像処理装置１１のオペレーションパネル８０から所望処理を選択し、必要に応じてその処理を行うための種々の設定をした後、処理の開始を指示する（ジョブ操作開始）（ステップＳ１３４）。
【００８０】
画像処理装置１１は、印刷する文書のページ数などから印刷処理で消費される度数を決定して度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ１３５）。
【００８１】
度数管理サーバ２０は、５００度数のみを保持しているとする。度数管理サーバ２０は、度数借入要求を画像処理装置１１から受信すると、度数管理サーバ２０が現在保持している度数（総度数）と、所定度数と比較することによって「サーバ残多」又は「サーバ残少」であるかを判定する度数残量判定処理を行う（ステップＳ１３６）。この場合、「サーバ残少」であると判定される。
【００８２】
また、度数管理サーバ２０は、度数借入要求によって指定されるユーザＩＤに対応する度数をユーザ別残度数テーブル２０ａから取得して、度数借入要求によって指定される希望度数と度数残量判定処理による結果とに基づいて画像処理装置１１への貸出度数を決定する。
【００８３】
更に、度数管理サーバ２０は、ユーザ別残度数テーブル２０ａから取得したユーザＩＤに対応する度数から貸出度数を減算した値でユーザ別残度数テーブル２０ａを更新する。同様に、度数管理サーバ２０の度数（総度数）も貸出度数を減算した値とする。そして、度数管理サーバ２０は、貸し出しＩＤを生成して、ステップＳ１３５の度数借入要求に対して、貸出度数と、「サーバ残少」と、貸し出しＩＤとを含む応答「ＯＫ」を画像処理装置１１へ送信する（ステップＳ１３７）。
【００８４】
画像処理装置１１は、応答「ＯＫ」を受信すると、貸し出しＩＤと借入残度数として貸出度数とを一時残度数記憶領域１１ａに記憶する。この場合、画像処理装置１１は、貸出度数が３００度数を示す場合、借入残度数として３００度数を記憶する（ステップＳ１３８）。
【００８５】
また、画像処理装置１１は、ステップＳ１１７の応答「ＯＫ」が「サーバ残少」を示すので、ジョブの開始毎に度数管理サーバ２０から借り入れ可能な度数を借入残度数として取得し、ジョブの終了毎に余った度数を返却する「サーバ残少」用処理となるように、借入・返却タイミングとして「サーバ残少」用処理を指定する情報を所定記憶領域に記憶する（ステップＳ１３９）。
【００８６】
例えば、度数記憶領域１１ａに記憶した貸し出しＩＤに対応させて度数記憶領域１１ａ内に借入・返却タイミングとして「サーバ残少」用処理を指定する情報を記憶してもよい。「サーバ残少」用処理を指定する情報は画像処理装置１１において適宜参照されることによって、以下に説明するような処理が行われる。
【００８７】
借入・返却タイミングが「サーバ残少」用処理を示す情報である場合、画像処理装置１１は、ジョブの実行中に消費した度数を借入残度数から減算すると共に度数不足判定処理を行い、借入残度数が不足している場合にはジョブの実行中に度数管理サーバ２０から度数の借り入れを行うことになる。
【００８８】
そして、画像処理装置１１は、ジョブを開始し、そのジョブの実行中は１枚出力する毎に借入残度数から１度数を減算し、かつ、度数不足判定処理を行う（ステップＳ１４０）。例えば、画像処理装置１１は、度数不足判定処理によって、借入残度数がゼロでない、又は、借入残度数が所定値以上であることを確認する。
【００８９】
ジョブが終了すると、画像処理装置１１は、借入残度数を度数管理サーバ２０へ返却するために、貸し出しＩＤと残度数として借入残度数とを含む残度数返却通知を度数管理サーバ２０へ送信する（ステップＳ１４１）。
【００９０】
度数管理サーバ２０は、残度数返却通知を画像処理装置１１から受信すると、残度数返却通知の貸し出しＩＤに対応するユーザＩＤを特定し、ユーザ別残度数テーブル２０ａ内に記憶されているユーザＩＤに対応する度数に残度数返却通知の残度数を加算してユーザ別残度数テーブル２０ａを更新する。更に、度数管理サーバ２０の度数（総度数）にその残度数を加算する。
【００９１】
そして、度数管理サーバ２０は、残度数の返却が終了したことを示す応答「ＯＫ」を画像処理装置１１へ送信する（ステップＳ１４２）。
【００９２】
一方、度数管理サーバ２０は、他の画像処理装置１２及び１３から残度数借入要求を受信した場合においても上記同様の処理を行う。
【００９３】
その後、画像処理装置１１にてユーザがジョブ操作を開始する（ステップＳ１４３）。画像処理装置１１は、ユーザＩＤと希望度数とを含む残度数借入要求を度数管理サーバ２０へ送信して（ステップＳ１４４）、貸出度数と、「サーバ残少」と、貸し出しＩＤとを含む応答「ＯＫ」を度数管理サーバ２０から受信する（ステップＳ１４５）。この場合、度数管理サーバ２０は、応答「ＯＫ」に含める貸し出しＩＤを、ステップＳ１３７で生成した貸し出しＩＤとしてもよい。
【００９４】
画像処理装置１１は、一時残度数記憶領域１１ａに記憶している借入残度数に貸出度数を加算し、貸し出しＩＤと貸出度数を加算した借入残度数とによって一時残度数記憶領域１１ａを更新する（ステップＳ１４６）。例えば、貸出度数を加算した借入残度数が１３０度数となる場合、借入残度数が１３０度数に更新される。
【００９５】
そして、画像処理装置１１は、ジョブを開始し、そのジョブの実行中は１枚出力する毎に借入残度数から１度数を減算し、かつ、度数不足判定処理を行う（ステップＳ１４７）。例えば、画像処理装置１１は、度数不足判定処理によって、借入残度数がゼロでない、又は、借入残度数が所定値以上であることを確認する。
【００９６】
しかしながら、度数不足判定処理によって借入残度数が不足していると判断すると（ステップＳ１４８）、画像処理装置１１は、ユーザＩＤと希望度数とを含む残度数借入要求を度数管理サーバ２０へ送信して（ステップＳ１４９）、貸出度数と、「サーバ残少」と、貸し出しＩＤとを含む応答「ＯＫ」を度数管理サーバ２０から受信する（ステップＳ１５０）。
【００９７】
画像処理装置１１は、一時残度数記憶領域１１ａに記憶している借入残度数に貸出度数を加算し、貸し出しＩＤと貸出度数を加算した借入残度数とによって一時残度数記憶領域１１ａを更新する（ステップＳ１５１）。例えば、貸出度数を加算した借入残度数が５０度数となる場合、借入残度数が５０度数に更新される。
【００９８】
そして、画像処理装置１１は、ジョブを再開し、そのジョブの実行中は１枚出力する毎に借入残度数から１度数を減算し、かつ、度数不足判定処理を行う（ステップＳ１５２）。
【００９９】
ジョブが終了すると、画像処理装置１１は、借入残度数を度数管理サーバ２０へ返却するために、貸し出しＩＤと残度数として借入残度数とを含む残度数返却通知を度数管理サーバ２０へ送信する（ステップＳ１５３）。
【０１００】
度数管理サーバ２０は、残度数返却通知を画像処理装置１１から受信すると、残度数返却通知の貸し出しＩＤに対応するユーザＩＤを特定し、ユーザ別残度数テーブル２０ａ内に記憶されているユーザＩＤに対応する度数に残度数返却通知の残度数を加算してユーザ別残度数テーブル２０ａを更新する。更に、度数管理サーバ２０の度数（総度数）にその残度数を加算する。
【０１０１】
そして、度数管理サーバ２０は、残度数の返却が終了したことを示す応答「ＯＫ」を画像処理装置１１へ送信する（ステップＳ１５４）。
【０１０２】
ユーザがログアウトすると（ステップＳ１２８）、画像処理装置１１は、一時残度数記憶領域１１ａに記憶しておいたこのユーザの貸し出しＩＤと借入残度数とを削除する。
【０１０３】
ユーザがＡＤＦ（Auto Document Feeder）を利用してコピーをする場合は、画像処理装置１１は、ジョブの開始時に読み取った文書を用紙に印字する印刷処理（ジョブ）の開始前に消費される度数を判断することができない。
【０１０４】
このような場合において、先ず、度数管理サーバ２０の残度数が十分多くある場合の処理シーケンスについて図８で説明する。
【０１０５】
度数管理サーバ２０のクライアントとしての画像処理装置１１は、最初のジョブの開始前に度数管理サーバ２０への最初の度数の借り入れ時に大量に度数を借り入れて、借り入れた度数が足りなくなった場合にのみ再度借り入れる処理を行う。
【０１０６】
従って、画像処理装置１１は、ジョブ毎に、ジョブの開始前に度数を借り入れるための処理とジョブの終了後に余った度数を返却するための処理とを行なわない。画像処理装置１１は、ジョブ開始前に借り入れた度数の不足を判定する度数不足判定処理を行い、全てのジョブの終了後に余った度数の返却はログアウト後に行う。
【０１０７】
ジョブの途中で消費される度数を判断できる場合、その時点で残度数不足判定処理を実行する。ＡＤＦを利用して複数の部数をコピーする場合、１部の印刷終了時にページ数を取得することができるため、画像処理装置１１は、ユーザによって設定された部数に基づいて、残りの部数をコピーするために消費される度数を決定することができる。
【０１０８】
図８は、ジョブ開始時に度数が分からず、かつ、度数管理サーバの残度数が十分多い場合の処理シーケンスを示す図である。図８に示す処理シーケンスでは、ユーザが画像処理装置１１を操作してＡＤＦを利用して文書をコピーする場合で説明する。
【０１０９】
図８において、画像処理装置１１はログイン画面をオペレーションパネル８０へ表示し、ユーザがユーザＩＤ及びパスワードを入力すると（ステップＳ１１１）、画像処理装置１１は、ユーザ認証情報をユーザ情報サーバ３０へ送信する（ステップＳ１１２）。
【０１１０】
ユーザ情報サーバ３０は、ユーザＩＤとパスワードとで認証処理を実行する。認証が成功した場合、認証が成功したことを示す応答「ＯＫ」を画像処理装置１１へ送信する（ステップＳ１１３）。一方、認証が失敗した場合、認証が失敗したことを示す応答を画像処理装置１１へと送信する。
【０１１１】
画像処理装置１１は、認証が失敗した場合、オペレーションパネル８０に認証失敗を表示してユーザへ通知し、ユーザからの処理要求を受け付けない。認証が成功した場合に、ユーザは、画像処理装置１１のオペレーションパネル８０から所望処理を選択し、必要に応じてその処理を行うための種々の設定をし、また、ＡＤＦに文書を設定した後、処理の開始を指示する（ジョブ操作開始）（ステップＳ１６１）。例えば、ユーザが、コピー部数として５０部をオペレーションパネル８０から設定したとする。
【０１１２】
画像処理装置１１は、ＡＤＦを利用したコピーであることを検知すると、予め設定されている所定度数を度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ１６２）。
【０１１３】
度数管理サーバ２０は、１００、０００度数を保持しているとする。度数管理サーバ２０は、度数借入要求を画像処理装置１１から受信すると、度数管理サーバ２０が現在保持している度数（総度数）と、所定度数と比較することによって「サーバ残多」又は「サーバ残少」であるかを判定する度数残量判定処理を行う。この場合、「サーバ残多」であると判定される。
【０１１４】
また、度数管理サーバ２０は、度数借入要求によって指定されるユーザＩＤに対応する度数をユーザ別残度数テーブル２０ａから取得して、度数借入要求によって指定される希望度数と度数残量判定処理による結果とに基づいて画像処理装置１１への貸出度数を決定する。
【０１１５】
更に、度数管理サーバ２０は、ユーザ別残度数テーブル２０ａから取得したユーザＩＤに対応する度数から貸出度数を減算した値でユーザ別残度数テーブル２０ａを更新する。同様に、度数管理サーバ２０の度数（総度数）も貸出度数を減算した値とする。そして、度数管理サーバ２０は、貸し出しＩＤを生成して、ステップＳ１３５の度数借入要求に対して、貸出度数と、「サーバ残多」と、貸し出しＩＤとを含む応答「ＯＫ」を画像処理装置１１へ送信する（ステップＳ１６３）。
【０１１６】
画像処理装置１１は、応答「ＯＫ」を受信すると、貸し出しＩＤと借入残度数として貸出度数とを一時残度数記憶領域１１ａに記憶する。この場合、画像処理装置１１は、貸出度数が１，０００度数を示す場合、借入残度数として１，０００度数を記憶領域に記憶する（ステップＳ１６４）。
【０１１７】
また、画像処理装置１１は、ステップＳ１６３の応答「ＯＫ」が「サーバ残多」を示すので、ジョブが終了しても借り入れたままとし、ログアウト後に度数管理サーバ２０へ借入残度数を返却する「サーバ残多」用処理となるように、借入・返却タイミングとして「サーバ残多」を示す情報を所定記憶領域に記憶する（ステップＳ１６５）。
【０１１８】
例えば、度数記憶領域１１ａに記憶した貸し出しＩＤに対応させて度数記憶領域１１ａ内に借入・返却タイミングとして「サーバ残多」を示す情報を記憶してもよい。
【０１１９】
画像処理装置１１は、この時点では１部のページ数が分からないため、ジョブを開始して先ず１部を印刷し、その１部を印刷するジョブの実行中は１枚出力する毎に借入残度数から１度数を減算する（ステップＳ１６５）。画像処理装置１１は、１部印刷を終了した時点でページ数を取得する（ステップＳ１６７）。
【０１２０】
続けて、画像処理装置１１は、度数不足判定処理によって、借入残度数がページ数と残り部数とを乗算して求めた全ページ数に対して十分であることを確認する（ステップＳ１６８）。借入残度数が十分であることを確認後、画像処理装置１１は、ジョブを継続して実行する。ジョブの継続中においても１枚出力する毎に借入残度数から１度数を減算する（ステップＳ１６９）。
【０１２１】
一方、度数管理サーバ２０は、他の画像処理装置１２及び１３から残度数借入要求を受信した場合においても上記同様の処理を行う。
【０１２２】
その後、ジョブが終了してユーザがログアウトすると（ステップＳ１７０）、画像処理装置１１は、借入残度数を度数管理サーバ２０へ返却するために、貸し出しＩＤと残度数として借入残度数とを含む残度数返却通知を度数管理サーバ２０へ送信する（ステップＳ１７１）。
【０１２３】
度数管理サーバ２０は、残度数返却通知を画像処理装置１１から受信すると、残度数返却通知の貸し出しＩＤに対応するユーザＩＤを特定し、ユーザ別残度数テーブル２０ａ内に記憶されているユーザＩＤに対応する度数に残度数返却通知の残度数を加算してユーザ別残度数テーブル２０ａを更新する。更に、度数管理サーバ２０の度数（総度数）にその残度数を加算する。
【０１２４】
そして、度数管理サーバ２０は、残度数の返却が終了したことを示す応答「ＯＫ」を画像処理装置１１へ送信する（ステップＳ１７２）。
【０１２５】
画像処理装置１１は、残度数返却通知に対する応答「ＯＫ」を受信すると、一時残度数記憶領域１１ａに記憶しておいたこのユーザの貸し出しＩＤと借入残度数とを削除する。
【０１２６】
次に、ジョブ開始時にジョブの実行によって消費される度数が分からず、かつ、度数管理サーバ２０の残度数が少ない場合の処理シーケンスについて図９で説明する。
【０１２７】
度数管理サーバ２０のクライアントとしての画像処理装置１１は、ジョブの開始毎に度数管理サーバ２０から借り入れ可能な度数を借入残度数として取得し、ＡＤＦを利用して複数の部数をコピーする場合、１部の印刷終了時にページ数を取得することができるため、画像処理装置１１は、ユーザによって設定された部数に基づいて、残りの部数をコピーするために消費される度数を決定することができる。
【０１２８】
画像処理装置１１は、その決定した度数と残り部数とから必要な度数を算出して、借入残度数から必要な度数を減算した度数をジョブの途中で度数管理サーバ２０へ返却する。従って、度数管理サーバ２０は、度数管理サーバ２０の残度数が少ない場合に早期に画像処理装置１１から度数を返却してもらうことができる。
【０１２９】
図９は、ジョブ開始時に度数が分からず、かつ、度数管理サーバの残度数が少ない場合の処理シーケンスを示す図である。図９に示す処理シーケンスでは、ユーザが画像処理装置１１を操作してＡＤＦを利用して文書をコピーする場合で説明する。図９中、図８と同様のステップには、同一ステップ番号を付与し、その説明を省略する。
【０１３０】
図９においてユーザ認証が成功すると、ユーザは、画像処理装置１１のオペレーションパネル８０から所望処理を選択し、必要に応じてその処理を行うための種々の設定をし、また、ＡＤＦに文書を設定した後、処理の開始を指示する（ジョブ操作開始）（ステップＳ１８１）。例えば、ユーザが、コピー部数として５０部をオペレーションパネル８０から設定したとする。
【０１３１】
画像処理装置１１は、ＡＤＦを利用したコピーであることを検知すると、予め設定されている所定度数を度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ１８２）。
【０１３２】
度数管理サーバ２０は、度数借入要求を画像処理装置１１から受信すると、度数管理サーバ２０が現在保持している度数（総度数）と、所定度数と比較することによって「サーバ残多」又は「サーバ残少」であるかを判定する度数残量判定処理を行う。この場合、「サーバ残少」であると判定される。
【０１３３】
また、度数管理サーバ２０は、度数借入要求によって指定されるユーザＩＤに対応する度数をユーザ別残度数テーブル２０ａから取得して、度数借入要求によって指定される希望度数と度数残量判定処理による結果とに基づいて画像処理装置１１への貸出度数を決定する。
【０１３４】
更に、度数管理サーバ２０は、ユーザ別残度数テーブル２０ａから取得したユーザＩＤに対応する度数から貸出度数を減算した値でユーザ別残度数テーブル２０ａを更新する。同様に、度数管理サーバ２０の度数（総度数）も貸出度数を減算した値とする。そして、度数管理サーバ２０は、貸し出しＩＤを生成して、ステップＳ１３５の度数借入要求に対して、貸出度数と、「サーバ残少」と、貸し出しＩＤとを含む応答「ＯＫ」を画像処理装置１１へ送信する（ステップＳ１８３）。
【０１３５】
「サーバ残少」によって、度数管理サーバ２０での残度数が１，０００度数となったとする。
【０１３６】
画像処理装置１１は、応答「ＯＫ」を受信すると、貸し出しＩＤと借入残度数として貸出度数とを一時残度数記憶領域１１ａに記憶する。この場合、画像処理装置１１は、貸出度数が１０，０００度数を示す場合、借入残度数として１０，０００度数を記憶領域に記憶する（ステップＳ１８４）。
【０１３７】
画像処理装置１１は、例えば、度数記憶領域１１ａに記憶した貸し出しＩＤに対応させて度数記憶領域１１ａ内に借入・返却タイミングとして「サーバ残少」用処理を指定する情報を記憶しておく。
【０１３８】
画像処理装置１１は、この時点では１部のページ数が分からないため、ジョブを開始して先ず１部を印刷し、その１部を印刷するジョブの実行中は１枚出力する毎に借入残度数から１度数を減算する（ステップＳ１８５）。画像処理装置１１は、１部印刷を終了した時点でページ数を取得する（ステップＳ１８６）。
【０１３９】
続けて、画像処理装置１１は、度数不足判定処理によって、借入残度数がページ数と残り部数とを乗算して求めた全ページ数に対して十分であることを確認するが、「サーバ残少」であるため、残りの部数を処理するために必要な度数を保持するのみとし、余った度数を残度数として貸し出しＩＤと共に残度数返却通知に含めて度数管理サーバ２０へ送信する（ステップＳ１８７）。
【０１４０】
この場合、画像処理装置１１は、１部を印刷終了後に１００ページであったことが分かっているため、１００ページに５０部を乗算した５、０００度数が必要度数であると判断できる。従って、度数管理サーバ２０へ返却する残度数は、ステップＳ１８３で取得した貸出度数「１０，０００」から５，０００度数を減算した５，０００度数となる。
【０１４１】
度数管理サーバ２０は、残度数返却通知を画像処理装置１１から受信すると、残度数返却通知の貸し出しＩＤに対応するユーザＩＤを特定し、ユーザ別残度数テーブル２０ａ内に記憶されているユーザＩＤに対応する度数に残度数返却通知の残度数を加算してユーザ別残度数テーブル２０ａを更新する。更に、度数管理サーバ２０の度数（総度数）にその残度数を加算する。
【０１４２】
そして、度数管理サーバ２０は、残度数の返却が終了したことを示す応答「ＯＫ」を画像処理装置１１へ送信する（ステップＳ１８８）。
【０１４３】
この場合、度数管理サーバ２０は、残度数返却通知を受信することによって、現在保持している残度数「１，０００」に画像処理装置１１から返却された残度数「５，０００」を加算した残度数「６，０００」となる。
【０１４４】
画像処理装置１１は、度数管理サーバ２０から残度数返却通知に対する応答「ＯＫ」を受信すると、ジョブを継続して実行する。ジョブの継続中においても１枚出力する毎に借入残度数から１度数を減算する（ステップＳ１８９）。
【０１４５】
一方、度数管理サーバ２０は、他の画像処理装置１２及び１３から残度数借入要求を受信した場合においても上記同様の処理を行う。
【０１４６】
画像処理装置１１においてジョブが終了すると、画像処理装置１１は、ジョブの終了時には保持していた借入残度数を使い切っており、この場合、度数管理サーバ２０へ返却すべき残度数がないため、残度数返却通知を省略する。
【０１４７】
その後、ユーザによるログアウトすると（ステップＳ１９０）によって、画像処理装置１１は、一時残度数記憶領域１１ａに記憶しておいたこのユーザの貸し出しＩＤと借入残度数とを削除する。
【０１４８】
次に、画像処理装置１１は、ジョブの優先度の有無によって度数管理サーバ２０から度数を借り入れるための借入残度数の余り具合を異ならせるようにする場合について図１０で説明する。
【０１４９】
ユーザによって優先ジョブとして設定されているジョブの場合、度数不足判定処理によって借入残度数が不足であると判定した時点で度数管理サーバ２０から度数を借り入れるようにする。一方、ユーザによって優先ジョブとして設定されていない通常ジョブの場合、度数不足判定処理によって事前に借入残度数が不足であると判定したとしても、実際に度数が少なくなるまでジョブを続行し、実際に度数が少なくなった時点で度数管理サーバ２０から度数を借り入れるようにする。
【０１５０】
図１０は、ジョブ開始時に度数が分からない場合において、優先ジョブと通常ジョブとでは異なる借入タイミングで度数を借り入れるための処理シーケンスを示す図である。図１０に示す処理シーケンスでは、ユーザが画像処理装置１１を操作してＡＤＦを利用して文書をコピーする場合で説明する。図１０中、図９と同様のステップには、同一ステップ番号を付与し、その説明を省略する。
【０１５１】
図１０においてユーザ認証が成功すると、ユーザは、画像処理装置１１のオペレーションパネル８０から所望処理を選択し、必要に応じてその処理を行うための種々の設定をし、また、ＡＤＦに文書を設定した後、処理の開始を指示する（ジョブ操作開始）（ステップＳ２０１）。例えば、ユーザが、優先ジョブとして指定し、コピー部数として１００部をオペレーションパネル８０から設定したとする。
【０１５２】
画像処理装置１１は、ＡＤＦを利用したコピーであることを検知すると、予め設定されている所定度数を度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ２０２）。
【０１５３】
度数管理サーバ２０は、度数借入要求を画像処理装置１１から受信すると、度数管理サーバ２０が現在保持している度数（総度数）と、所定度数と比較することによって「サーバ残多」又は「サーバ残少」であるかを判定する度数残量判定処理を行う。この場合、「サーバ残多」であると判定される。
【０１５４】
また、度数管理サーバ２０は、度数借入要求によって指定されるユーザＩＤに対応する度数をユーザ別残度数テーブル２０ａから取得して、度数借入要求によって指定される希望度数と度数残量判定処理による結果とに基づいて画像処理装置１１への貸出度数を決定する。
【０１５５】
更に、度数管理サーバ２０は、ユーザ別残度数テーブル２０ａから取得したユーザＩＤに対応する度数から貸出度数を減算した値でユーザ別残度数テーブル２０ａを更新する。同様に、度数管理サーバ２０の度数（総度数）も貸出度数を減算した値とする。そして、度数管理サーバ２０は、貸し出しＩＤを生成して、ステップＳ２０２の度数借入要求に対して、貸出度数と、「サーバ残多」と、貸し出しＩＤとを含む応答「ＯＫ」を画像処理装置１１へ送信する（ステップＳ２０３）。
【０１５６】
画像処理装置１１は、応答「ＯＫ」を受信すると、貸し出しＩＤと借入残度数として貸出度数とを一時残度数記憶領域１１ａに記憶する。また、画像処理装置１１は、「サーバ残多」を所定記憶領域に記憶する。
【０１５７】
画像処理装置１１は、この時点では１部のページ数が分からないため、ジョブを開始して先ず１部を印刷し、その１部を印刷するジョブの実行中は１枚出力する毎に借入残度数から１度数を減算する（ステップＳ２０４）。画像処理装置１１は、１部印刷を終了した時点でページ数を取得する（ステップＳ２０５）。
【０１５８】
続けて、画像処理装置１１は、度数不足判定処理によって、借入残度数がページ数と残り部数とを乗算して求めた全ページ数に対して不足していると判断すると（ステップＳ２０６）、ユーザＩＤと希望度数として残り部数の印刷処理に十分な度数を示す度数とを含む度数借入要求を度数管理サーバ２０へ送信する（ステップＳ２０７）。
【０１５９】
度数管理サーバ２０は、度数借入要求を画像処理装置１１から受信すると、度数借入要求によって指定されるユーザＩＤに対応する度数をユーザ別残度数テーブル２０ａから取得して、度数管理サーバ２０が現在保持している残度数を所定度数と比較することによって「サーバ残多」又は「サーバ残少」であるかを判定する度数残量判定処理を行う。この場合、「サーバ残多」であると判定される。
【０１６０】
また、度数管理サーバ２０は、度数借入要求によって指定される希望度数と度数残量判定処理による結果とに基づいて画像処理装置１１へ貸出度数を決定する。
【０１６１】
更に、度数管理サーバ２０は、ユーザ別残度数テーブル２０ａから取得したユーザＩＤに対応する度数から貸出度数を減算した値でユーザ別残度数テーブル２０ａを更新する。そして、度数管理サーバ２０は、ステップＳ２０２の度数借入要求に対して、貸出度数と、「サーバ残多」と、貸し出しＩＤとを含む応答「ＯＫ」を画像処理装置１１へ送信する（ステップＳ２０８）。
【０１６２】
画像処理装置１１は、応答「ＯＫ」を受信すると、ジョブを継続して実行し、そのジョブの継続中においても１枚出力する毎に借入残度数から１度数を減算する（ステップＳ２０９）。画像処理装置１１は、「サーバ残多」であるので、ジョブの終了後も現在保持している借入残度数を継続して保持する。
【０１６３】
続けて、ユーザが、画像処理装置１１のオペレーションパネル８０から部数として１００を設定して通常ジョブの操作を開始する（ステップＳ２１０）。
【０１６４】
画像処理装置１１は、ＡＤＦを利用したコピーであることを検知すると、予め設定されている所定度数を度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ２１１）。
【０１６５】
度数管理サーバ２０は、度数借入要求を画像処理装置１１から受信すると、度数借入要求によって指定されるユーザＩＤに対応する度数をユーザ別残度数テーブル２０ａから取得して、度数残量判定処理を行う。この場合、「サーバ残多」であると判定される。
【０１６６】
また、度数管理サーバ２０は、貸出度数を決定してユーザ別残度数テーブル２０ａを更新すると、ステップＳ２１１の度数借入要求に対して、貸出度数と、「サーバ残多」と、貸し出しＩＤとを含む応答「ＯＫ」を画像処理装置１１へ送信する（ステップＳ２１２）。
【０１６７】
画像処理装置１１は、応答「ＯＫ」を受信すると、貸し出しＩＤと借入残度数として貸出度数とを一時残度数記憶領域１１ａに記憶する。また、画像処理装置１１は、「サーバ残多」を所定記憶領域に記憶する。
【０１６８】
画像処理装置１１は、この時点では１部のページ数が分からないため、ジョブを開始して先ず１部を印刷し、その１部を印刷するジョブの実行中は１枚出力する毎に借入残度数から１度数を減算する（ステップＳ２１３）。画像処理装置１１は、１部印刷を終了した時点でページ数を取得する（ステップＳ２１４）。
【０１６９】
続けて、画像処理装置１１は、度数不足判定処理によって、借入残度数がページ数と残り部数とを乗算して求めた全ページ数に対して不足していると判断する（ステップＳ２１５）。しかし、通常ジョブであるので、画像処理装置１１は、度数管理サーバ２０へは度数借入要求を送信せずに、ジョブを継続する。ジョブの実行中は１枚出力する毎に借入残度数から１度数を減算する（ステップＳ２１６）。
【０１７０】
画像処理装置１１は、ジョブの途中で借入残度数が残り少なくなったと判断すると（ステップＳ２１７）、ユーザＩＤと希望度数として残り部数の印刷処理に十分な度数を示す度数とを含む度数借入要求を度数管理サーバ２０へ送信する（ステップＳ２１８）。
【０１７１】
度数管理サーバ２０は、度数借入要求を画像処理装置１１から受信すると、度数借入要求によって指定されるユーザＩＤに対応する度数をユーザ別残度数テーブル２０ａから取得して、度数残量判定処理を行う。この場合、「サーバ残多」であると判定される。
【０１７２】
また、度数管理サーバ２０は、貸出度数を決定してユーザ別残度数テーブル２０ａを更新すると、ステップＳ２１８の度数借入要求に対して、貸出度数と、「サーバ残多」と、貸し出しＩＤとを含む応答「ＯＫ」を画像処理装置１１へ送信する（ステップＳ２１９）。
【０１７３】
画像処理装置１１は、応答「ＯＫ」を受信すると、貸し出しＩＤと借入残度数として貸出度数とを一時残度数記憶領域１１ａに記憶する。また、画像処理装置１１は、「サーバ残多」を所定記憶領域に記憶する。以降、ユーザがログアウトするまで、上述したような処理を繰り返す。
【０１７４】
次に、ジョブ開始時に度数が分かる場合に度数管理サーバ２０の残度数の不足によりジョブが中断される処理シーケンスについて図１１で説明する。図１１は、ジョブ開始時に度数が分かる場合に度数管理サーバの残度数の不足によりジョブが中断される処理シーケンスを示す図である。図１１中、図６と同様のステップには、同一ステップ番号を付与し、その説明を省略する。
【０１７５】
図１１においてユーザ認証が成功すると、ユーザは、画像処理装置１１のオペレーションパネル８０から所望処理を選択し、必要に応じてその処理を行うための種々の設定をした後、処理の開始を指示する（ジョブ操作開始）（ステップＳ３０１）。
【０１７６】
画像処理装置１１は、印刷する文書のページ数などから印刷処理で消費される度数を決定して度数管理サーバ２０へ要求する際の希望度数とする。そして、画像処理装置１１は、度数管理サーバ２０から残度数を借り入れるためにユーザＩＤと希望度数とを含む残度数借入要求を度数管理サーバ２０へ送信する（ステップＳ３０２）。
【０１７７】
度数管理サーバ２０は、度数借入要求を画像処理装置１１から受信すると、度数管理サーバ２０が現在保持している度数（総度数）と、所定度数と比較することによって「サーバ残多」又は「サーバ残少」であるかを判定する度数残量判定処理を行う。この場合、「サーバ残多」であると判定される。
【０１７８】
また、度数管理サーバ２０は、度数借入要求によって指定されるユーザＩＤに対応する度数をユーザ別残度数テーブル２０ａから取得して、度数借入要求によって指定される希望度数と度数残量判定処理による結果とに基づいて画像処理装置１１への貸出度数を決定する。
【０１７９】
更に、度数管理サーバ２０は、ユーザ別残度数テーブル２０ａから取得したユーザＩＤに対応する度数から貸出度数を減算した値でユーザ別残度数テーブル２０ａを更新する。同様に、度数管理サーバ２０の度数（総度数）も貸出度数を減算した値とする。そして、度数管理サーバ２０は、貸し出しＩＤを生成して、ステップＳ２０２の度数借入要求に対して、貸出度数と、「サーバ残多」と、貸し出しＩＤとを含む応答「ＯＫ」を画像処理装置１１へ送信する（ステップＳ３０３）。
【０１８０】
また、画像処理装置１１は、ステップＳ３０２の応答「ＯＫ」が「サーバ残多」を示すので、ジョブが終了しても借り入れたままとし、ログアウト後に度数管理サーバ２０へ借入残度数を返却する「サーバ残多」用処理となるように、借入・返却タイミングとして「サーバ残多」を示す情報を所定記憶領域に記憶する（ステップＳ３０４）。
【０１８１】
そして、画像処理装置１１は、ジョブを開始する前に度数不足判定処理を実行して、借入残度数が十分であることを確認する（ステップＳ１２０）。例えば、画像処理装置１１は、度数不足判定処理によって、借入残度数がゼロでない、又は、借入残度数が所定値以上であることを確認する。
【０１８２】
画像処理装置１１は、ジョブを開始し、そのジョブの実行中は１枚出力する毎に借入残度数から１度数を減算する（ステップＳ３０６）。そしてジョブの終了後、画像処理装置１１は、借入残度数を度数管理サーバ２０へ返却することなく次のジョブ操作開始を待つ。
【０１８３】
一方、度数管理サーバ２０は、他の画像処理装置１２からの残度数借入要求に応じて貸出度数を与えた結果、度数管理サーバ２０の残度数が少ない状態となる。
【０１８４】
その後、画像処理装置１１にてユーザがジョブ操作を開始する（ステップＳ３０７）。画像処理装置１１は、ジョブを開始する前に度数不足判定処理を実行することによって、残度数を確認し、借入残度数が不足していると判断すると（ステップＳ３０８）、ユーザＩＤと希望度数とを含む残度数借入要求を度数管理サーバ２０へ送信する（ステップＳ３０９）。
【０１８５】
度数管理サーバ２０は、度数管理サーバ２０の残度数が少ない状態であるので、画像処理装置１１からの度数借入要求に対して、残度数不足により貸出度数がないことを示す応答「ＮＧ」を画像処理装置１１へ送信する（ステップＳ３１０）。
【０１８６】
画像処理装置１１は、度数管理サーバ２０から残度数不足により貸出度数がないことを示す応答「ＮＧ」を受信すると、オペレーションパネル８０に残度数が不足していることを示す情報を提示する（ステップＳ３１１）。
【０１８７】
システム１００にて度数制限オーバーを許容する設定である場合、画像処理装置１１は、画面Ｇ３１をオペレーションパネル８０に表示する。画面Ｇ３１では、「残度数が不足しています。」などのメッセージを表示すると共に、ユーザが度数制限を越えて印刷するためのボタンが表示される。ユーザがこのボタンを選択すると、画像処理装置１１は、ジョブを継続して処理をし、継続されたジョブの間に消費された度数は、マイナス度数として度数管理サーバ２０へ残度数返却通知によって返却される。
【０１８８】
一方、システム１００にて度数制限オーバーを許容しない場合、画像処理装置１１は、画面Ｇ３２をオペレーションパネル８０に表示する。画面Ｇ３２では、「残度数不足のため印刷を中止します。」などのメッセージを表示し、ジョブを中止する。
【０１８９】
上記実施例より、本発明では、度数管理サーバ２０は、ネットワーク２を介して接続される複数の画像処理装置１１から１３全体の利用可能な度数の総和を度数管理サーバ２０の度数として管理し、かつ、ユーザ毎に利用可能な度数をも管理する。
【０１９０】
度数管理サーバ２０の残度数が十分な場合には、画像処理装置１１は、最初に十分多い度数を度数管理サーバ２０から借り入れ、その借り入れた度数をユーザがログアウトするまで画像処理装置１１内で管理する。従って、ユーザのログイン後のジョブ毎に度数管理サーバ２０へ度数の借り入れ及び返却に係る通信処理を減らすことができる。
【０１９１】
一方で、度数管理サーバ２０の残度数が少ない場合には、画像処理装置１１は、ジョブの終了毎に余った借入残度数を度数管理サーバ２０へ返却する。従って、画像処理装置１１にて余分な借入残度数を保持する時間を短縮させることができ、度数管理サーバ２０は少ない残度数で他の画像処理装置１２及び１３からの度数借入要求に対応することができる。
【０１９２】
本発明は、具体的に開示された実施例に限定されるものではなく、特許請求の範囲から逸脱することなく、種々の変形や変更が可能である。
【図面の簡単な説明】
【０１９３】
【図１】本発明の一実施例に係るシステム構成を示す図である。
【図２】本発明の一実施例に係る画像処理装置のハードウェア構成を示す図である。
【図３】本発明の一実施例に係る画像処理装置の機能構成を示す図である。
【図４】度数管理サーバのハードウェア構成を示す図である。
【図５】度数の借り入れ及び返却の概略を説明するための図である。
【図６】ジョブ開始時に度数が分かり、かつ、度数管理サーバの残度数が十分多い場合の処理シーケンスを示す図である。
【図７】ジョブ開始時に度数が分かり、かつ、度数管理サーバの残度数が少ない場合の処理シーケンスを示す図である。
【図８】ジョブ開始時に度数が分からず、かつ、度数管理サーバの残度数が十分多い場合の処理シーケンスを示す図である。
【図９】ジョブ開始時に度数が分からず、かつ、度数管理サーバの残度数が少ない場合の処理シーケンスを示す図である。
【図１０】ジョブ開始時に度数が分からない場合において、優先ジョブと通常ジョブとでは異なる借入タイミングで度数を借り入れるための処理シーケンスを示す図である。
【図１１】ジョブ開始時に度数が分かる場合に度数管理サーバの残度数の不足によりジョブが中断される処理シーケンスを示す図である。
【符号の説明】
【０１９４】
２            ネットワーク
１１ａ        一時残度数記憶領域
１１、１２、１３          画像処理装置
２０          度数管理サーバ
２０ａ        ユーザ別残度数テーブル
３０          ユーザ情報サーバ
６１          ＣＰＵ
６２          システムメモリ
６３          ＮＢ
６５          ＡＧＰ
６６          ＳＳＩＣ
６７          ローカルメモリ
６８          ＨＤＤ
７０          外部インタフェース
７３          ＰＣＩバス
８０          オペレーションパネル
８１          ＦＡＸ
８２          プロッタ
８３          スキャナ
１００        システム
１０１        ネットワーク通信制御部
１０２        残度数検査部
１０３        一時残度数保持部
１０４        印刷制御部
２２０        演算処理装置
２２１        インタフェース装置
２２２        入力装置
２２３        表示装置
２２４        ドライブ装置
２２５        記録媒体
２２６        補助記憶装置
２２７        メモリ装置
【図１】
2008033839.tif 000003
【図２】
2008033839.tif 000004
【図３】
2008033839.tif 000005
【図４】
2008033839.tif 000006
【図５】
2008033839.tif 000007
【図６】
2008033839.tif 000008
【図７】
2008033839.tif 000009
【図８】
2008033839.tif 000010
【図９】
2008033839.tif 000011
【図１０】
2008033839.tif 000012
【図１１】
2008033839.tif 000013